(57)【特許請求の範囲】
【請求項１】
壁面に設置されるアッパーキャビネットであって、
前面が開放するように箱状に形成され、内部を収納部とするキャビネット本体部と、
前記キャビネット本体部の前面側に取り付けられ、前記キャビネット本体部の側板または天板のいずれかに沿った軸を中心として回動するように開閉する前面扉と、を備え、
前記キャビネット本体部の底壁部における前面端部の下面が、底壁部の他の部分、前面扉および側板の下面よりも高い位置になるように、部分的に切り欠かれることにより手掛かり部を形成しており、
前記手掛かり部には、切り欠かれた部分を保護するための保護カバーが取り付けられており、また、前記手掛かり部には、前記底壁部の上面および下面と平行な方向に延び、切り欠かれた部分の下面に沿って欠かれた部分の奥面から底壁部の内部に向かって溝部が形成されており、
前記保護カバーは、前記手掛かり部の表面を覆う保護部と、前記溝部に差し込まれるための差し込み部と、を備えており、
前記保護部は、前記底壁部の上面側の前面寄りの部分を覆う上面保護部をさらに備え、前記差し込み部は、該上面保護部と略同じ長さに形成されており、
前記上面保護部と前記差し込み部の両方を貫通するように打ち込まれた固定部材によって前記保護カバーが前記手掛かり部に固定されていることを特徴とするアッパーキャビネット。
【発明の詳細な説明】
【技術分野】
【０００１】
本発明は、アッパーキャビネットに関するものである。
【背景技術】
【０００２】
従来、キッチンのキャビネットにおいて、扉に取手が設けられた構成は知られている。また、扉に取手は設けられておらず、扉の下端部がキャビネットの底板より下方まで延びて手掛かり部とされた構成が知られている（特許文献１参照）。
【先行技術文献】
【特許文献】
【０００３】
【特許文献１】特開２０１３−８５９２１号公報
【発明の概要】
【発明が解決しようとする課題】
【０００４】
上記従来の扉に取手が設けられた構成は、見た目ですっきりしたデザインとならない。また、扉の下端部がキャビネットの底板より下方まで延びて手掛かり部とされた構成は、上方に設けられるアッパーキャビネットでは、下方から扉の下端部とキャビネットの底板の高さが異なることにより、必ずしも見た目ではすっきりしたデザインとはならない。
【０００５】
また、扉の下端部がキャビネットの底板より下方まで延びていると、レンジフードと隣接している場合には、レンジフードの下端とキャビネット本体部の下端の高さが合わず、見た目ではすっきりしたデザインとはならない。
【０００６】
本発明は、上記従来の問題を解決することを目的とし、シンプルな構成で、見た目もすっきりしたデザインの取手レスタイプのアッパーキャビネットを実現することを課題とする。
【課題を解決するための手段】
【０００７】
本発明は上記課題を解決するために、壁面に設置されるアッパーキャビネットであって、前面が開放するように箱状に形成され、内部を収納部とするキャビネット本体部と、前記キャビネット本体部の前面側に取り付けられ、前記キャビネット本体部の側板または天板のいずれかに沿った軸を中心として回動するように開閉する前面扉と、を備え、前記キャビネット本体部の底壁部における前面端部の下面が、底壁部の他の部分、前面扉および側板の下面よりも高い位置になるように、部分的に切り欠かれることにより手掛かり部を形成しており、前記手掛かり部には、切り欠かれた部分を保護するための保護カバーが取り付けられており、また、前記手掛かり部には、前記底壁部の上面および下面と平行な方向に延び、切り欠かれた部分の下面に沿って欠かれた部分の奥面から底壁部の内部に向かって溝部が形成されており、前記保護カバーは、前記手掛かり部の表面を覆う保護部と、前記溝部に差し込まれるための差し込み部と、を備えており、前記保護部は、前記底壁部の上面側の前面寄りの部分を覆う上面保護部をさらに備え、前記差し込み部は、該上面保護部と略同じ長さに形成されており、前記上面保護部と前記差し込み部の両方を貫通するように打ち込まれた固定部材によって前記保護カバーが前記手掛かり部に固定されていることを特徴とするアッパーキャビネットを提供する。
【発明の効果】
【００１１】
本発明によれば、取手レスタイプのアッパーキャビネットにおいて、キャビネット本体部における底壁部の前面端部の下面が、底壁部の他の部分の下面、前面扉の下面および側板の下面よりも高い位置になるように、底壁部の前面端部が部分的に切り欠かれることにより手掛かり部を形成しているので、シンプルな構成で、見た目もすっきりしたデザインとなる。
【図面の簡単な説明】
【００１２】
【図１】本発明に係るアッパーキャビネットの実施例１、２の全体構成を示す図であり、（ａ）は正面図であり、（ｂ）は（ａ）のＢ−Ｂ断面図である。
【図２】本発明に係るアッパーキャビネットの実施例１の要部を説明する図であり、（ａ）は図１（ｂ）の要部拡大図であり、（ｂ）、（ｃ）は保護カバーおよびその取り付けについての構成を説明する図である。
【図３】（ａ）は上記実施例１の保護カバーの変形例およびその取り付けにつての構成を説明する図であり、（ｂ）は別の変形例の保護カバーおよびその取り付けについての構成を説明する図であり、（ｃ）は保護カバーの別の態様を説明する構成である。
【図４】本発明に係るアッパーキャビネットの実施例２の要部を説明する図であり、（ａ）は底壁部の前端部の構成を示す断面図であり、（ｂ）〜（ｄ）は保護カバーおよびその取り付けの構成について説明する図である。
【発明を実施するための形態】
【００１３】
本発明に係るアッパーキャビネットを実施するための形態を実施例に基づき図面を参照して、以下説明する。本明細書では、アッパーキャビネットを正面視したときに、手前側を前方とし、奥側を後方とし、前後方向に直交する方向を左右方向という。
【実施例】
【００１４】
（実施例１）
本発明に係るアッパーキャビネットの実施例１を、図１〜３において説明する。この実施例１のアッパーキャビネット１は、図１（ａ）、（ｂ）に示すように、キャビネット本体部２と前面扉３を備えている。
【００１５】
キャビネット本体部２は、前面が開放するように箱状に形成され、内部を収納部４とする構成であり、左右の側板６、底壁部７、天板８および後板９を備えている。収納部４には、棚板１３が設けられている。
【００１６】
前面扉３は、キャビネット本体部２の前面側に取り付けられ、キャビネット本体部２の側板６または天板８のいずれかに沿ったヒンジ１４の軸を中心として回動するように構成されている。
【００１７】
前面扉３の下面１５は、図２（ａ）に示すように、左右の側板６の下面１８および底壁部７の下面１９（但し、後記する切り欠かれている部分２３は除く）と、同じ高さの位置になるように形成されている。
【００１８】
本発明のアッパーキャビネット１の特徴的構成として、キャビネット本体部２の底壁部７における前面端部を部分的に切り欠いて、切り欠かれた部分２３（図２（ｂ）参照）を設けることにより、手掛かり部２４を形成している。
【００１９】
より具体的には、切り欠かれた部分２３は、その下面２０（図２（ｂ）参照）が、底壁部７における前面端部以外の他の部分の下面１９、前面扉３の下面１５および側板６の下面１８よりも高い位置となるように、底壁部７における前面端部が切り欠かれて形成される。
【００２０】
切り欠かれた部分２３は、下面２０と奥面２８を有する。このように切り欠かれた部分２３が形成されることで、手掛かり部２４には、前面扉３の後方に手掛かり用の空間２５（図２（ａ）参照）が設けられる。つまり、手掛かり部２４は、前面扉３の裏面の下端部付近に手を掛けて扉を開くために切り欠かれた部分２３と、この部分に形成される空間２５を含んでいる。
【００２１】
そして、手掛かり部２４には、図２（ａ）に示すように、切り欠かれた部分２３を保護するための保護カバー２９が取り付けられている。即ち、少なくとも、底壁部７の材料である木部材の素地が露出する前面２１、下面２０および奥面２８をカバーする保護カバー２９が取り付けられる。保護カバー２９およびその取り付けについての構成を、図２、図３において説明する。
【００２２】
図２（ｂ）は、保護カバー２９として樹脂製の木口テープを使用し、それを底壁部７の切り欠かれた部分２３に取り付ける構成を示している。この場合は、図２（ｂ）に示すように、木部材の素地が露出する前面２１、下面２０および奥面２８に対応し、それぞれ樹脂製の接着剤付きの木口テープ３２、３３、３４を貼り付けて、保護カバー２９を形成する。
【００２３】
図３（ａ）は、実施例１の変形例の保護カバー３６およびその取り付け構造を説明する図である。この変形例の保護カバー３６は、切り欠かれた部分２３の形状に対応して、予め一体に形成された樹脂製の保護カバーであり、切り欠かれた部分２３に、接着剤で貼り付られる。接着する方が確実に保護カバー３６を固定できるが、接着は必須ではない。
【００２４】
保護カバー３６は、切り欠かれた部分２３を保護する本体部３７に加えて、上面保護部３８および下面保護部３９を備えている。上面保護部３８は、底壁部７の前端部の上面４２を覆う部分である。下面保護部３９は、底壁部７における切り欠かれた部分２３に隣接する下面４３を覆う部分である。
【００２５】
保護カバー３６は、その内面に接着剤を塗布してから、図３（ａ）に示すように、手掛かり部２４における切り欠かれた部分２３と、底壁部７の前端部の上面４２および切り欠かれた部分２３に隣接する下面４３を覆うようにして底壁部７に嵌着されて貼り付けられる。このような構成により、保護カバー３６は、より安定して底壁部７に取り付けられる。
【００２６】
図３（ｂ）は、別の変形例の保護カバー４５およびその取り付け構造を説明する図である。この保護カバー４５は、上面保護部３８がより長い寸法に形成されており、その取り付けは、底壁部７に嵌着して貼り付けてから、タッカー４６を上方から上面保護部３８を貫通して打ち込んで固定する構造である。これにより、保護カバー４５は、より強固に底壁部７に取り付けられる。
【００２７】
なお、図３（ｃ）に示す保護カバー４８は、保護カバー４５のような上面保護部３８および下面保護部３９が形成されておらず、底壁部７を構成する木部材の素地が露出する前面２１、下面２０および奥面２８のみに対応する保護部４９（図３（ａ）、（ｂ）に示す本体部３７に相当する部分）を備えた構成である。このような保護カバー４８は、切り欠かれた部分を覆うようにして底壁部７に嵌着されて貼り付けられる。
【００２８】
（作用）
以上の構成から成る実施例１のアッパーキャビネット１の作用について説明する。アッパーキャビネット１の使用に際して、前面扉３を開く際には、前面扉３の下端部の後方に形成された手掛かり用の空間２５に下方から手を差し込み、前面扉３の後面を手で前方に引くことによって、簡単に開くことができる。
【００２９】
前面扉３の下面１５は、図２（ａ）に示すように、左右の側板６の下面１８および底壁部７の下面１９と同じ高さの位置になるように揃って形成されているので、段差がなく、シンプルな構成で見た目ではすっきりしたデザインとなる。
【００３０】
また、アッパーキャビネット１がレンジフード（図示せず）と隣接して設置されている場合に、キャビネット本体部２の下端（底壁部７の下面１９）および前面扉３の下面１５は、それぞれレンジフードの下端との間に段差が生じないので、見た目ですっきりしたシンプルなデザインとなる。
【００３１】
切り欠かれた部分２３は、木材の素地が露出しないように保護カバー２９で覆われデザイン性が付与されているので、仮に下方から切り欠かれた部分２３が視野に入っても、見栄えが悪いようなことがない。
【００３２】
また、保護カバー２９によって、切り欠かれた部分２３の木材の素地が露出することがないので、防水性、防湿性が担保され、木材の素地に水や湿気が直に触れて生じる腐食や劣化が抑制できる。
【００３３】
（実施例２）
本発明に係るアッパーキャビネットの実施例２について、図４において説明する。この実施例２のアッパーキャビネットは、実施例１のアッパーキャビネットと略同じであるので、異なる特徴的な構成を中心に説明する。
【００３４】
実施例２のアッパーキャビネットでは、切り欠かれた部分２３には、図４（ａ）に示すように、底壁部７における上面４２および下面４３と平行な方向に延びる溝部５２が形成されている。より具体的には、切り欠かれた部分２３の下面２０に沿って奥面２８から底壁部７の内部に向かって溝部５２が形成されている。
【００３５】
一方、実施例２において、底壁部７の切り欠かれた部分２３を保護する保護カバー５５は、図４（ｂ）に示すように、実施例２の別の変形例の保護カバー４５（図３（ｂ）参照）と同様に、上面保護部３８および下面保護部３９を備えているとともに、さらに、溝部５２に差し込まれる差し込み部５６を備えている。
【００３６】
この保護カバー５５は、図３（ｂ）に示す保護カバー４５と同様に、接着剤を保護カバー５５の内面だけでなく、差し込み部５６の表面にも塗布し、図４（ｃ）に示すように、差し込み部５６を溝部５２に差し込んで、底壁部７に嵌着して貼り付ける。
【００３７】
これにより、保護カバー５５は、切り欠かれた部分２３と、底壁部７の上面４２および下面４３を覆う。差し込み部５６が溝部５２に差し込まれて接着されるので、より強力に、保護カバー５５を底壁部７に取り付けることができる。
【００３８】
ところで、保護カバーが、差し込み部５６および溝部５２が設けられていない保護カバー４５（図３（ｂ）参照）に示すような構成であると、切り欠かれた部分２３における下面２０と奥面２８の角部において、保護カバーとの間に隙間が生じて浮いてしまうこともある。
【００３９】
その原因は、下面２０と奥面２８の角部と、この角部に対応する保護カバー４５の角部は、互いにぴったりと合うように製造することは困難であるので、両角部間に隙間が生じることもあるからである。
【００４０】
このような隙間が生じると、保護カバーはその角部から剥離しやすいという問題が生じる。しかしながら、実施例２の保護カバー５５によれば、差し込み部５６が溝部５２に差し込まれて接着されるので、上記問題が解消される。
【００４１】
さらに、図４（ｄ）に示すように、タッカー４６を上方から上面保護部３８および差し込み部５６を貫通して、底壁部７に打ち込んだ構成としてもよい。このような構成とすることにより、保護カバー５５は、より強固に底壁部７に取り付けられる。
【００４２】
以上、本発明に係るアッパーキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。なお、手掛かり部は、キャビネットの底壁部の幅方向全域に形成される必要はなく、一部のみに形成されるのでもよい。
【産業上の利用可能性】
【００４３】
本発明に係るアッパーキャビネットは上記のような構成であるから、キッチンに設置されるキャビネットだけでなく、居間、書斎、その他建物の他の空間に設置されるキャビネットにも適用可能である。
【符号の説明】
【００４４】
１  アッパーキャビネット                           
２  キャビネット本体部                             
３  前面扉                                         
４  収納部                                         
６  側板                                           
７  底壁部                                         
８  天板                                           
９  後板                                           
１３  棚板                                         
１４  ヒンジ                                       
１５  前面扉の下面                                 
１８  側板の下面                                   
１９  底壁部の下面                                 
２０  底壁部の前面端部の下面                       
２１  底壁部の前面端部の前面                       
２３  切り欠かれた部分                             
２４  手掛かり部                                   
２５  手掛かり用の空間                           
２８  切り欠かれた部分の奥面                     
２９  保護カバー                                 
３２、３３、３４ 木口テープ                      
３６  保護カバー                                   
３７  保護カバーの本体部                                   
３８  上面保護部                                   
３９  下面保護部                                   
４２  底壁部の前端部の上面                         
４３  切り欠かれた部分に隣接する下面               
４５  保護カバー
４６  タッカー
４８  保護カバー                                   
４９  保護部                                       
５２  溝部                                         
５５  保護カバー                                   
５６  差し込み部                                   
【図１】
0006561277.tif 000002
【図２】
0006561277.tif 000003
【図３】
0006561277.tif 000004
【図４】
0006561277.tif 000005